(57)【要約】      （修正有）【課題】平時においても機能を発揮して使用することが可能で、しかも防災用品の存在を外部から知ることができて、更に防災用品を収納したままで移動することが可能な防災用品の収納庫を提供する。【解決手段】防災用品の収納庫１を、例えば事業所のフロアエントランスに設置して受付用電話機４１を載置するインフォメーションカウンターと兼用することができる。受付用電話機４１のホルダ４５は天板１９上に載置されており、電気コード４９は挿通穴２０から収納庫本体３へ挿通され、隙間３３を通って挿通穴２５から外部に引き出されて、キャスター台３５と床面との隙間を通って防災用品の収納庫１の側方へ出て、ＡＣアダプタ４７がコンセント５１に接続されている。防災用品の収納庫１に収納された防災用品は透明板１３が設けられた開口部１１を介して外部から視認することができる。【選択図】図１
0003234253.tif 000002
【実用新案登録請求の範囲】
【請求項１】
前面に開口を有する箱型の収納庫本体と、前記開口を開閉可能に覆う扉と、前記収納庫本体が載る状態で底板に固定される枠型の支持部とを有する防災用品の収納庫において、
前記収納庫本体の天板と底板に電気コードを挿通できる挿通穴をそれぞれ設けると共に、前記支持部の側部に電気コードを挿通できる挿通穴を設けたことを特徴とする防災用品の収納庫。
【請求項２】
請求項１に記載した防災用品の収納庫において、
収納庫本体の内部には棚板が備えられ、前記棚板の扉側の端面と扉の内面との間に隙間が形成されていることを特徴とする防災用品の収納庫。
【請求項３】
請求項１または２に記載した防災用品の収納庫において、
枠型のベースと、前記ベースの隅角部にキャスターが設けられたキャスター台を有して、前記ベースに支持部を設置して、収納庫本体を前記キャスターによって走行させて移動可能であることを特徴とする防災用品の収納庫。
【請求項４】
請求項１から３に記載した防災用品の収納庫において、
扉には開口部が形成され、前記開口部には透明板が設けられていることを特徴とする防災用品の収納庫。
【考案の詳細な説明】
【技術分野】
【０００１】
本考案は防災用品の収納庫に関するものである。
【背景技術】
【０００２】
懐中電灯、携帯トイレ、発電機等の防災用品は、災害発生時にのみ使用することを前提としているので、いずれかの場所に収納しておく必要がある。例えば、特許文献１の防災用品収納ボックスでは、鉄筋コンクリート造りの一階入口の屋内側エントランスのフロア下に防災用品が収納される空洞を設置し、空洞上には取外しが容易な中敷きトレイを取付け、その上にマット部材を敷くようにしている。
【先行技術文献】
【特許文献】
【０００３】
【特許文献１】特開２０２０−１１１９４０号公報
【考案の概要】
【考案が解決しようとする課題】
【０００４】
しかしながら、上記従来の防災用品収納ボックスは、平時においては全く使用されないばかりか、外部から視認できないため災害発生時にその存在を知っている者がいない場合には防災用品を使用できないおそれがある。また、この防災用品収納ボックス自体は移動することができないので、収納された防災用品を他の場所に移動する場合には、防災用品を外部に出さなければならないという問題がある。
本考案は上記従来の問題点に着目して為されたものであり、平時においても防災用品の収納庫以外の機能を発揮して使用することが可能で、しかも防災用品の存在を外部から知ることができて、更に防災用品を収納したままで移動することが可能な防災用品の収納庫の提供を、その目的とする。
【課題を解決するための手段】
【０００５】
本考案は上記課題を解決するためになされたものであり、請求項１の考案は、前面に開口を有する箱型の収納庫本体と、前記開口を開閉可能に覆う扉と、前記収納庫本体が載る状態で底板に固定される枠型の支持部とを有する防災用品の収納庫において、前記収納庫本体の天板と底板に電気コードを挿通できる挿通穴をそれぞれ設けると共に、前記支持部の側部に電気コードを挿通できる挿通穴を設けたことを特徴とする防災用品の収納庫である。
【０００６】
請求項２の考案は、請求項１に記載した防災用品の収納庫において、収納庫本体の内部には棚板が備えられ、前記棚板の扉側の端面と扉の内面との間に隙間が形成されていることを特徴とする防災用品の収納庫である。
【０００７】
請求項３の考案は、請求項１または２に記載した防災用品の収納庫において、枠型のベースと、前記ベースの隅角部にキャスターが設けられたキャスター台を有して、前記ベースに支持部を設置して、収納庫本体を前記キャスターによって走行させて移動可能であることを特徴とする防災用品の収納庫である。
【０００８】
請求項４の考案は、請求項１から３に記載した防災用品の収納庫において、扉には開口部が形成され、前記開口部には透明板が設けられていることを特徴とする防災用品の収納庫である。
【考案の効果】
【０００９】
本考案の防災用品の収納庫によれば、平時においても防災用品の収納庫以外の機能を発揮して使用することが可能である。しかも防災用品の存在を外部から知ることができる。更に防災用品を収納したままで移動することが可能である。
【図面の簡単な説明】
【００１０】
【図１】本考案の実施の形態に係る防災用品の収納庫の斜視図である。
【図２】図１の防災用品の収納庫の扉を開けた状態の部分拡大斜視図である。
【図３】図１の防災用品の収納庫の底面図である。
【図４】図１の防災用品の収納庫の正面図である。
【図５】キャスターを備えないで図１の防災用品の収納庫を使用する状態の斜視図である。
【考案を実施するための形態】
【００１１】
本考案の実施の形態に係る防災用品の収納庫１を図面にしたがって説明する。
符号３は収納庫本体を示し、この収納庫本体３は縦長の箱型で、前面に開口５を有している。収納庫本体３には扉７が上下方向に離間して配置されたヒンジ９を介して取り付けられており、この扉７は開口５を開閉可能に覆うようになっている（図２においては下側のヒンジ９のみを示す。）。扉７には、その下端部分から上端側へ五分の二程度までの高さ寸法を有する開口部１１が形成されている。この開口部１１にはアクリル樹脂製の透明板１３が設けられている。
符号１５は支持枠を示し、この支持枠１５は収納庫本体３の底板１７より一回り小さい四角形の枠型に形成されている。支持枠１５は、収納庫本体３が載る状態で底板１７に固定されている。
【００１２】
収納庫本体３の天板１９には２つの挿通穴２０が形成され、挿通穴２０は図示しないシャッターによって開閉できるようになっている。また、支持枠１５の右側板２１の下端部にも２つの挿通穴２３が形成され、挿通穴２３は挿通穴２０と同様に図示しないシャッターによって開閉できるようになっている。更に、収納庫本体３の底板１７の右端部の前端寄りの隅角部に挿通穴２５が形成されている。
また、扉７にはダイヤル式のロック２７が取り付けられており、このロック２７は取っ手としても機能する形状を為している。
【００１３】
収納庫本体３の内部には２枚の棚板２９が図示しない支持部材によって支持され、背板３１の内面に近接して備えられている。棚板２９の短辺方向の寸法は、収納庫本体３の奥行方向の寸法に対し五分の四程度に設定されている。従って、棚板２９の扉７側の端面と扉７の内面との間に隙間３３が形成されている。
【００１４】
符号３５はキャスター台を示し、このキャスター台３５は枠型のベース３７と、ベース３７の隅角部にそれぞれ設けられたキャスター３９とから構成されている。ベース３７には支持枠１５が設置された状態で固定されている。
【００１５】
次に、防災用品の収納庫１を事業所のフロアエントランスに設置して受付用電話機を載置するインフォメーションカウンターと兼用する場合を例として説明する。
受付用電話機４１は受話器４３、受話器４３を保持するホルダ４５、一端がホルダ４５に着脱可能に接続され、他端にＡＣアダプタ４７が取り付けられた電気コード４９を有している。
ホルダ４５は天板１９上に載置されており、電気コード４９は挿通穴２０から収納庫本体３へ挿通され、隙間３３を通って挿通穴２５から外部に引き出されている。このように隙間３３が設けられているので、電気コード４９を収納庫本体３において自由に引き回すことができる。
そして、電気コード４９はキャスター台３５と床面との隙間を通って防災用品の収納庫１の側方へ出て、ＡＣアダプタ４７がコンセント５１に接続されている。
【００１６】
防災用品の収納庫１には、発電機、使い捨てトイレ、ＬＥＤランタン等の防災用品Ｄが収容されている。扉７には透明板１３が設けられた開口部１１が形成されているので、外部から収納庫本体３内を視認することができる。
このように、防災用品の収納庫１は、平時においても受付用電話機４１を載置するインフォメーションカウンターとしての機能を発揮して使用が可能である。しかも収納庫本体３内の防災用品Ｄの存在を外部から知ることが可能であり、災害発生時に防災用品Ｄを確実に使用することができる。また、防災用品の収納庫１はキャスター３９を備えているので、防災用品Ｄを収納庫本体３に収納したままで容易に移動することが可能である。
【００１７】
図５に示すように、防災用品の収納庫１はキャスター台３５を備えない構成とすることも可能であり、この場合には電気コード４９を挿通穴２５に通し、更に挿通穴２３から外部に出すようにする。
このように、防災用品の収納庫１はキャスター台３５を使用しなくても電気コード４９を外部に出すことが可能である。
【００１８】
以上、本考案の実施の形態について詳述してきたが、具体的構成は、この実施の形態に限られるものではなく、本考案の要旨を逸脱しない範囲における設計の変更などがあっても考案に含まれる。
例えば、棚板の数、間隔は収納する防災用品の種類に応じて変更してもよい。
【産業上の利用可能性】
【００１９】
本考案の防災用品の収納庫は、収納庫製造業、販売業に利用可能性を有する。
【符号の説明】
【００２０】
１…防災用品の収納庫          ３…収納庫本体        ５…開口        ７…扉
９…ヒンジ    １１…開口部  １３…透明板          １５…支持枠    １７…底板
１９…天板      ２０…挿通穴  ２１…支持枠の右側板  ２３…挿通穴    ２５…挿通穴
２７…ロック    ２９…棚板    ３１…背板            ３３…隙間
３５…キャスター台            ３７…ベース          ３９…キャスター
４１…受付用電話機            ４３…受話器          ４５…ホルダ
４７…ＡＣアダプタ            ４９…電気コード      ５１…コンセント
Ｄ…防災用品
【図１】
0003234253.tif 000003
【図２】
0003234253.tif 000004
【図３】
0003234253.tif 000005
【図４】
0003234253.tif 000006
【図５】
0003234253.tif 000007